(57)【特許請求の範囲】
【請求項１】
所要数のパネルを屈曲自在に連結して構成されたシャッタカーテンと、シャフト両端部に設けられ、バランススプリングにより巻取方向に付勢された巻取ドラムと、該巻取ドラムに巻設され下端が前記シャッタカーテンの最下段のパネルに係着されたワイヤとを有し、該ワイヤ下端の係着位置を上下方向に変更可能としたことを特徴とするオーバヘッドドア。
【請求項２】
前記パネルの幅端面の下端にワイヤ掛け部材を設け、前記ワイヤは前記ワイヤ掛け部材を掛回した後、前記ワイヤ掛け部材の上方で前記幅端面に係着される請求項１のオーバヘッドドア。
【請求項３】
前記ワイヤの下端には掛止部材が固着され、前記パネルの幅端面には上下方向に所定のピッチでワイヤ係止孔が複数穿設され、該ワイヤ係止孔は円孔と該円孔に連続し下方に延びるスリット孔から成り、前記円孔には前記掛止部材が挿脱可能であり、前記スリット孔は前記ワイヤが挿通可能であると共に前記掛止部材が係止される様になっている請求項２のオーバヘッドドア。
【請求項４】
前記ワイヤの下端には掛止部材が固着され、前記パネルの裏面から幅端面に掛渡りＬ字状に屈曲したワイヤ係着具が前記パネルの幅端部に着脱可能に取付けられ、又該ワイヤ係着具は取付け位置が上下方向に変更可能であり、前記ワイヤ係着具の側面にはワイヤ係止孔が穿設され、該ワイヤ係止孔は円孔と該円孔に連続し下方に延びるスリット孔から成り、前記円孔には前記掛止部材が挿脱可能であり、前記スリット孔は前記ワイヤが挿通可能であると共に前記掛止部材が係止される請求項２のオーバヘッドドア。
【請求項５】
前記ワイヤ掛け部材の上方に第２ワイヤ掛け部材が固着され、前記ワイヤ掛け部材と前記第２ワイヤ掛け部材との間に少なくとも１つのワイヤ係止孔が穿設され、前記ワイヤの下端は前記ワイヤ掛け部材に掛回された後、前記ワイヤ係止孔に係止可能であると共に前記ワイヤ掛け部材及び前記第２ワイヤ掛け部材に掛回された後、前記ワイヤ係止孔に係止可能である様構成された請求項２のオーバヘッドドア。
【請求項６】
前記ワイヤの下端がループに形成され、前記パネルの裏面から幅端面に掛渡りＬ字状に屈曲したワイヤ係着具が前記パネルの幅端部に着脱可能に取付けられ、又該ワイヤ係着具は取付け位置が上下方向に変更可能であり、前記ワイヤ係着具の側面にはワイヤ係着ピンが突設され、ループは前記ワイヤ係着ピンに着脱可能である請求項２のオーバヘッドドア。
【発明の詳細な説明】
【技術分野】
【０００１】
本発明は、所要数のパネルを屈曲自在に連結して構成されたシャッタカーテンにより、建屋等の構築構造物の出入口等の開口部を開閉するオーバヘッドドアに関するものである。
【背景技術】
【０００２】
建屋等の構築構造物の出入口等の開口部を開閉する開閉手段としてシャッタ装置があり、又シャッタ装置の１つとして、オーバヘッドドアがあり、該オーバヘッドドアでは、シャッタカーテンが所要数のパネルを屈曲自在に連結して構成され、該シャッタカーテンをガイドレールに沿って昇降させ、開口時にはシャッタカーテンは天井面に沿って格納される。
【０００３】
又、オーバヘッドドアでは、シャッタカーテンの自重をバランススプリングの上方への付勢力によってバランスさせ、シャッタカーテン開閉時の開閉装置の負担を軽減している。
【０００４】
図１０は従来のオーバヘッドドアに於けるバランススプリングとシャッタカーテンとの関係を示している。
【０００５】
開口部（図示せず）の上方に、巻取ドラムシャフト１が回転自在に設けられ、該巻取ドラムシャフト１に両端部に固着された巻取ドラム２にワイヤ３が巻設され、前記巻取ドラム２から前記ワイヤ３が繰出され、該ワイヤ３の下端がシャッタカーテン４の最下段のパネル５に係着されている。
【０００６】
前記巻取ドラムシャフト１にはバランススプリング６が設けられており、該バランススプリング６は前記巻取ドラムシャフト１を介して前記巻取ドラム２を前記ワイヤ３が巻取られる方向に付勢する。従って、シャッタカーテン４には前記ワイヤ３を介して上昇力が付与され、前記シャッタカーテン４の自重は前記ワイヤ３を介して前記バランススプリング６によりバランスされている。
【０００７】
前記バランススプリング６は捩りコイルスプリングであり、前記シャッタカーテン４が閉状態で、所要回数捩られ、該シャッタカーテン４の自重とバランスする初期トルクを発生する様に調整され、捩られた状態で前記ワイヤ３が前記パネル５の下端と前記巻取ドラム２間に掛渡される。又、ワイヤ３の長さは、設計時に開口部の寸法等から割出し設定しているが、躯体側の誤差、或は組立て誤差等から現場での組立時に前記ワイヤ３の長さが一致するとは限らない。従って、設置現場でのワイヤ長さ調整作業が必要となっている。
【０００８】
従来の調整方法としては、巻取ドラム２側に余長を持たせ、調整後余った余長ワイヤ３′は前記巻取ドラム２に複数回巻付けた（捨て巻）後、該巻取ドラム２を通して前記バランススプリング６側に延出させ、巻取ドラムシャフト１に巻付ける等して処理している。
【０００９】
この為、ワイヤ３の長さ調整には、捨て巻作業のやり直しと、余長ワイヤ３′の処理が伴い、作業が繁雑であると共に高所作業であり、作業者の負担が大きいという問題があった。
【先行技術文献】
【特許文献】
【００１０】
【特許文献１】実開昭５８−４９７９２号公報
【発明の概要】
【発明が解決しようとする課題】
【００１１】
本発明は斯かる実情に鑑み、シャッタカーテンの下端に係着され、該シャッタカーテンに上昇力を作用させるワイヤの長さ調整を簡単に行え、又低所作業として、作業性の向上、安全性の向上を図る。
【課題を解決するための手段】
【００１２】
本発明は、所要数のパネルを屈曲自在に連結して構成されたシャッタカーテンと、シャフト両端部に設けられ、バランススプリングにより巻取方向に付勢された巻取ドラムと、該巻取ドラムに巻設され下端が前記シャッタカーテンの最下段のパネルに係着されたワイヤとを有し、該ワイヤ下端の係着位置を上下方向に変更可能としたオーバヘッドドアに係るものである。
【００１３】
又本発明は、前記パネルの幅端面の下端にワイヤ掛け部材を設け、前記ワイヤは前記ワイヤ掛け部材を掛回した後、前記ワイヤ掛け部材の上方で前記幅端面に係着されるオーバヘッドドアに係るものである。
【００１４】
又本発明は、前記ワイヤの下端には掛止部材が固着され、前記パネルの幅端面には上下方向に所定のピッチでワイヤ係止孔が複数穿設され、該ワイヤ係止孔は円孔と該円孔に連続し下方に延びるスリット孔から成り、前記円孔には前記掛止部材が挿脱可能であり、前記スリット孔は前記ワイヤが挿通可能であると共に前記掛止部材が係止される様になっているオーバヘッドドアに係るものである。
【００１５】
又本発明は、前記ワイヤの下端には掛止部材が固着され、前記パネルの裏面から幅端面に掛渡りＬ字状に屈曲したワイヤ係着具が前記パネルの幅端部に着脱可能に取付けられ、又該ワイヤ係着具は取付け位置が上下方向に変更可能であり、前記ワイヤ係着具の側面にはワイヤ係止孔が穿設され、該ワイヤ係止孔は円孔と該円孔に連続し下方に延びるスリット孔から成り、前記円孔には前記掛止部材が挿脱可能であり、前記スリット孔は前記ワイヤが挿通可能であると共に前記掛止部材が係止されるオーバヘッドドアに係るものである。
【００１６】
又本発明は、前記ワイヤ掛け部材の上方に第２ワイヤ掛け部材が固着され、前記ワイヤ掛け部材と前記第２ワイヤ掛け部材との間に少なくとも１つのワイヤ係止孔が穿設され、前記ワイヤの下端は前記ワイヤ掛け部材に掛回された後、前記ワイヤ係止孔に係止可能であると共に前記ワイヤ掛け部材及び前記第２ワイヤ掛け部材に掛回された後、前記ワイヤ係止孔に係止可能である様構成されたオーバヘッドドアに係るものである。
【００１７】
又本発明は、前記ワイヤの下端がループに形成され、前記パネルの裏面から幅端面に掛渡りＬ字状に屈曲したワイヤ係着具が前記パネルの幅端部に着脱可能に取付けられ、又該ワイヤ係着具は取付け位置が上下方向に変更可能であり、前記ワイヤ係着具の側面にはワイヤ係着ピンが突設され、ループは前記ワイヤ係着ピンに着脱可能であるオーバヘッドドアに係るものである。
【発明の効果】
【００１８】
本発明によれば、所要数のパネルを屈曲自在に連結して構成されたシャッタカーテンと、シャフト両端部に設けられ、バランススプリングにより巻取方向に付勢された巻取ドラムと、該巻取ドラムに巻設され下端が前記シャッタカーテンの最下段のパネルに係着されたワイヤとを有し、該ワイヤ下端の係着位置を上下方向に変更可能としたので、該ワイヤ下端の係着位置を変更することで、ワイヤの長さ調整が可能であり、ワイヤの長さ調整を巻取ドラム側で行う必要がなくなり、作業性が向上すると共に高所作業がなくなり、安全性が向上する。
【００１９】
又本発明によれば、前記パネルの幅端面の下端にワイヤ掛け部材を設け、前記ワイヤは前記ワイヤ掛け部材を掛回した後、前記ワイヤ掛け部材の上方で前記幅端面に係着されるので、ワイヤを介して前記パネルに作用する上昇力の作用点がシャッタカーテン下端に一定し、ワイヤの長さ調整を行った場合でもバランススプリングによるバランス状態に変化がない。
【００２０】
又本発明によれば、前記ワイヤの下端には掛止部材が固着され、前記パネルの幅端面には上下方向に所定のピッチでワイヤ係止孔が複数穿設され、該ワイヤ係止孔は円孔と該円孔に連続し下方に延びるスリット孔から成り、前記円孔には前記掛止部材が挿脱可能であり、前記スリット孔は前記ワイヤが挿通可能であると共に前記掛止部材が係止される様になっているので、工具を使うことなく、簡単にワイヤ下端の係止位置を変更できる。
【００２１】
又本発明によれば、前記ワイヤの下端には掛止部材が固着され、前記パネルの裏面から幅端面に掛渡りＬ字状に屈曲したワイヤ係着具が前記パネルの幅端部に着脱可能に取付けられ、又該ワイヤ係着具は取付け位置が上下方向に変更可能であり、前記ワイヤ係着具の側面にはワイヤ係止孔が穿設され、該ワイヤ係止孔は円孔と該円孔に連続し下方に延びるスリット孔から成り、前記円孔には前記掛止部材が挿脱可能であり、前記スリット孔は前記ワイヤが挿通可能であると共に前記掛止部材が係止されるので、前記ワイヤ係着具の取付け位置を細かく変化させることで、前記ワイヤ長さの細かな調整が可能となる。
【００２２】
又本発明によれば、前記ワイヤ掛け部材の上方に第２ワイヤ掛け部材が固着され、前記ワイヤ掛け部材と前記第２ワイヤ掛け部材との間に少なくとも１つのワイヤ係止孔が穿設され、前記ワイヤの下端は前記ワイヤ掛け部材に掛回された後、前記ワイヤ係止孔に係止可能であると共に前記ワイヤ掛け部材及び前記第２ワイヤ掛け部材に掛回された後、前記ワイヤ係止孔に係止可能である様構成されたので、１つのワイヤ係止孔に対して２通りの長さ調整が可能となり、前記ワイヤの調整代が増大する。
【００２３】
本発明によれば、前記ワイヤの下端がループに形成され、前記パネルの裏面から幅端面に掛渡りＬ字状に屈曲したワイヤ係着具が前記パネルの幅端部に着脱可能に取付けられ、又該ワイヤ係着具は取付け位置が上下方向に変更可能であり、前記ワイヤ係着具の側面にはワイヤ係着ピンが突設され、ループは前記ワイヤ係着ピンに着脱可能であるので、前記ワイヤの下端処理が容易であり、ワイヤ下端と前記ワイヤ係着ピンとの係着が容易となり、又前記ワイヤ係着具の取付け位置を細かく変化させることで、前記ワイヤ長さの細かな調整が可能となる等の優れた効果を発揮する。
【図面の簡単な説明】
【００２４】
【図１】本発明が実施されるオーバヘッドドアの概略斜視図である。
【図２】同前立断面図である。
【図３】第１の実施例を示すシャッタカーテン下端部の拡大斜視図である。
【図４】同前裏面図である。
【図５】同前側面図である。
【図６】（Ａ）は第１の実施例に使用されるワイヤの端部処理を示すワイヤ下端の部分図、（Ｂ）は図６（Ａ）のＡ−Ａ矢視図である。
【図７】第２の実施例を示すシャッタカーテン下端部の拡大斜視図である。
【図８】（Ａ）（Ｂ）は、それぞれ第３の実施例を示すシャッタカーテン下端部の側面図である。
【図９】第４の実施例を示す要部斜視図である。
【図１０】従来例を示す説明図である。
【発明を実施するための形態】
【００２５】
以下、図面を参照しつつ本発明の実施例を説明する。
【００２６】
先ず図１、図２に於いて、本発明の実施例に係るオーバヘッドドアについて説明する。尚、図１０中で示したものと同等のものには同符号を付してある。
【００２７】
建屋等の躯体の開口部８の両側柱９に沿って、垂直ガイドレール１１が設けられ、天井に沿って水平ガイドレール１２が設けられ、前記垂直ガイドレール１１と前記水平ガイドレール１２とは湾曲レール１３によって連結されている。前記垂直ガイドレール１１の上方には水平な巻取ドラムシャフト１等が設けられている。
【００２８】
シャッタカーテン４は所要数のパネル５が屈曲自在に連結されて構成され、各パネル５の両端にはガイドローラ２２が支軸（図示せず）を介して回転自在に設けられている。
【００２９】
該ガイドローラ２２は、前記垂直ガイドレール１１、前記湾曲レール１３、前記水平ガイドレール１２に転動自在に嵌合し、前記シャッタカーテン４は前記垂直ガイドレール１１、前記湾曲レール１３、前記水平ガイドレール１２に沿ってスライド可能となっている。
【００３０】
前記巻取ドラムシャフト１はブラケット１５を介し躯体側（図示では側柱９）に回転自在に設けられている。前記巻取ドラムシャフト１の両端部には巻取ドラム２が設けられ、該巻取ドラム２に巻付けられたワイヤ３が前記シャッタカーテン４の最下段のパネル５に係着されている。又、前記巻取ドラムシャフト１にはバランススプリング６が設けられ、該バランススプリング６は前記ワイヤ３を介して前記シャッタカーテン４を上昇方向に付勢している。
【００３１】
前記開口部８が開かれる場合は、前記巻取ドラムシャフト１を介し前記巻取ドラム２が回転されることで前記ワイヤ３が巻取られ、前記シャッタカーテン４が前記垂直ガイドレール１１に沿って引上げられ、更に前記水平ガイドレール１２に格納される様になっている。
【００３２】
又、前記開口部８が閉じられる場合は、前記巻取ドラムシャフト１を介して前記巻取ドラム２が逆方向に回転され、前記ワイヤ３が繰出されて前記シャッタカーテン４が降下され、前記開口部８が閉じられる。
【００３３】
本実施例では、オーバヘッドドア設置時に於ける前記ワイヤ３の長さ調整を該ワイヤ３の下端側で行う様構成されている。
【００３４】
図３〜図５に於いて、本発明の第１の実施例について説明する。又、図３〜図５は、最下段のパネル５の幅端部を拡大して示している。
【００３５】
前記パネル５の幅端下部、例えば縦框１７の下端部にはローラ支持部材１８が固着される。該ローラ支持部材１８の平断面は、Ｌ字状であり該ローラ支持部材１８の一面（側面）１８ａが、前記パネル５の幅端面（前記縦框１７の幅端面１７ａ）に当接する様に、又前記ローラ支持部材１８の背面１８ｂが前記パネル５の裏面（前記縦框１７の背面１７ｂ）に当接する様に取付けられる。
【００３６】
前記ローラ支持部材１８の背面１８ｂには軸受部材１９を介してガイドローラピン２１が固着され、該ガイドローラピン２１にガイドローラ２２が回転自在に取付けられている。該ガイドローラ２２は前記垂直ガイドレール１１に転動自在に嵌合する。
【００３７】
又前記縦框１７の幅端面１７ａの下端には、前記ローラ支持部材１８の側面１８ａを介してワイヤ掛け部材２３が固着される。該ワイヤ掛け部材２３と前記ガイドローラ２２とは干渉しない様に、前記ガイドローラピン２１は前記ワイヤ掛け部材２３より更に延出している。前記ワイヤ掛け部材２３の形状は、円板形状であり、周面には凹溝（図示せず）が形成され、該凹溝に前記ワイヤ３が嵌合する様になっている。尚、前記ローラ支持部材１８を平板状とし、前記側面１８ａを省略できる場合は、前記ワイヤ掛け部材２３は前記幅端面１７ａに直付けしてもよい。
【００３８】
前記縦框１７の幅端面１７ａの前記ワイヤ掛け部材２３の上方に、又前記側面１８ａと干渉しない位置に所定のピッチで少なくとも３つのワイヤ係止孔２４が穿設される。該ワイヤ係止孔２４のピッチＰは、例えば前記巻取ドラム２の１／４回転分の周長とする。
【００３９】
前記ワイヤ係止孔２４の形状は、円孔と該円孔の下端より垂直下方に延出するスリット孔により形成された鍵孔形状となっており、前記円孔はワイヤ下端に固着される掛止部材（後述）２５が挿脱できる大きさであり、又前記スリット孔の幅は、前記ワイヤ３の径より大きく、前記掛止部材２５の径、或は幅より小さくなっている。
【００４０】
前記ワイヤ３の下端には前記掛止部材２５が固着される。該掛止部材２５の一例としては、図６に示されるスリーブ２６があり、該スリーブ２６には前記ワイヤ３と締結ワイヤ２７が挿通され、前記スリーブ２６をカシメて前記ワイヤ３と前記締結ワイヤ２７とを締結する。尚、前記スリーブ２６に前記ワイヤ３を挿通したのみで、前記スリーブ２６をカシメ、前記ワイヤ３と前記スリーブ２６間で充分なカシメ力が得られれば、前記締結ワイヤ２７は省略することができる。又、前記締結ワイヤ２７は市販のものを使用したが、前記掛止部材２５用として別途製作してもよい。
【００４１】
又、前記スリーブ２６を前記ワイヤ３、前記締結ワイヤ２７にカシメる状態としては、前記スリーブ２６の上端より前記締結ワイヤ２７が食み出さない様にする。
【００４２】
前記巻取ドラム２から垂下された前記ワイヤ３は、前記ワイヤ掛け部材２３を掛回され、上方のワイヤ係止孔２４に前記スリーブ２６が差込まれる。該スリーブ２６が前記ワイヤ係止孔２４に挿入された状態で、前記ワイヤ３に張力が作用すると、前記ワイヤ３の先端（下端）は、下方に引張られ、ワイヤ３が前記ワイヤ係止孔２４のスリット孔に嵌合する。前記スリーブ２６は前記スリット孔の幅より太いので、前記スリーブ２６を介してワイヤ３の下端は前記ワイヤ係止孔２４に係着される。
【００４３】
尚、該ワイヤ係止孔２４の位置は、前記ワイヤ掛け部材２３の凹溝に接する鉛直線よりも前記ワイヤ３側（パネル５の表面側）に位置することが好ましい。このことで、前記ワイヤ３の前記ワイヤ掛け部材２３に対する掛回し量が大きくなり、前記ワイヤ３の張力に変動があった場合でも外れ難くなる。
【００４４】
以下、上記第１の実施例に於けるワイヤ３の調整作用について説明する。
【００４５】
最下段の前記パネル５を地面に接地させた状態とし、又前記バランススプリング６の付勢力が前記巻取ドラム２に作用しない様に、前記バランススプリング６を拘束しておく。
【００４６】
前記ワイヤ３の設計寸法は、前記ワイヤ係止孔２４のうち、中央のワイヤ係止孔２４に係着した長さとするが、上記した様に躯体側の誤差、或は組立て誤差等から中央のワイヤ係止孔２４に係着することが最適ではない場合がある。
【００４７】
この場合、前記ワイヤ３の下端の係着位置を他のワイヤ係止孔２４に変更する。前記パネル５の下端の位置迄の距離が予定より長い場合は、図３〜図５に示されている様に下側のワイヤ係止孔２４に係着させる。
【００４８】
又、前記バランススプリング６の付勢力にバラツキが有る場合についても、同様に調整が行われ、付勢力を強くしたい場合は、前記バランススプリング６の初期トルク、即ち初期捩り回転数を多くする。捩り回転数を多くすると、より多くワイヤ３が繰出されるので、前記ワイヤ３の下端を上側のワイヤ係止孔２４に係着させることで初期トルクを大きくした状態で前記ワイヤ３をパネル５に係着させることができ、前記バランススプリング６による前記パネル５の上昇力を大きくすることができる。
【００４９】
又、同様にして初期トルクを小さく設定する場合は、前記ワイヤ３の下端を下側のワイヤ係止孔２４に係着させればよい。係着が完了した後、前記バランススプリング６の拘束を解き、該バランススプリング６による上昇力を前記シャッタカーテン４に作用させる。
【００５０】
而して、第１の実施例によれば、前記巻取ドラム２側でワイヤ３の長さを調整する必要がなく、最下段のパネル５に対してワイヤ３の下端を係着する孔を選択するのみで、前記巻取ドラム２から前記ワイヤ３の下端迄の長さ調整が可能となる。又、作業は地面での作業となり、又ワイヤ切断等の必要がなく、下端の掛替えだけですむので、簡単であり、安全である。
【００５１】
図７は、第２の実施例を示している。尚、図７中、図３中で示したものと同等のものには同符号を付し、その説明を省略する。
【００５２】
第２の実施例では、ワイヤ３の長さをよりきめ細かく調整可能としたものである。
【００５３】
縦框１７の幅端面１７ａに、上下方向に延びるスリット状の逃げ孔２８を穿設する。該逃げ孔２８の上下寸法は、前記ワイヤ３の調整代と同じかそれ以上とし、幅寸法は、後述するワイヤ係止孔２４の円孔の径と同じか、少し大きくなっている。前記縦框１７のローラ支持部材１８の上側に、断面Ｌ字状のワイヤ係着具２９が取付けられ、該ワイヤ係着具２９は前記縦框１７の背面１７ｂから幅端面１７ａに掛渡って当接し、前記背面１７ｂ部分にボルト等の固着具３１によって固着される。
【００５４】
前記ワイヤ係着具２９の側面２９ａにはワイヤ係止孔２４が穿設され、該ワイヤ係止孔２４は前記ワイヤ係着具２９を前記縦框１７に取付けた状態で、前記逃げ孔２８に合致する様になっている。尚、前記ワイヤ係着具２９の材質を前記幅端面１７ａより高強度とすることで、前記ワイヤ係止孔２４の補強となり、前記ワイヤ３に大きな張力が作用した場合に、前記ワイヤ係止孔２４が損傷することが防止される。又、該ワイヤ係止孔２４等が変形した場合でも、前記ワイヤ係着具２９を交換することで容易に対応できる。
【００５５】
又、前記背面１７ｂには、前記固着具３１が螺合する螺子孔３２が上下方向に所定ピッチで穿設されており、前記固着具３１は前記螺子孔３２の位置に合わせ、取付け位置が変更可能となっている。好ましくは、前記ワイヤ係着具２９のボルト取付け孔のピッチをＱとし、前記背面１７ｂに穿設した前記螺子孔３２のピッチをＱ′とする。ピッチＱとピッチＱ′とを同一とすることで、１ピッチずつの取付け位置変更が可能となる。
【００５６】
尚、図示では前記ワイヤ係着具２９に前記ワイヤ係止孔２４は１つ穿設したが、上下方向に複数穿設してもよく、更に複数穿設する場合は、前記ワイヤ係止孔２４の上下方向のピッチをボルト取付け孔のピッチＱと異ならせ、例えばＱ／２としてもよい。
【００５７】
前記ワイヤ３の係着作業については、スリーブ２６を前記ワイヤ係止孔２４に挿入することで係着が完了する。前記ワイヤ３の長さ調整については、上記した様に前記ワイヤ係着具２９の取付け位置を変更する。
【００５８】
又、前記逃げ孔２８はスリット状ではなく、複数の丸孔とし、該丸孔を前記ワイヤ係着具２９の各取付け位置での前記ワイヤ係止孔２４に合致させてもよい。
【００５９】
図８により、第３の実施例を説明する。尚、図８中、図３中で示したものと同等のものには同符号を付してある。又、図８中、ガイドローラ２２は省略している。
【００６０】
第３の実施例では、縦框１７の幅端面１７ａに少なくとも１つ（図示では２つ）のワイヤ係止孔２４′を穿設し、該ワイヤ係止孔２４′の上側に第２ワイヤ掛け部材３３を固着する。該第２ワイヤ掛け部材３３は、円形であり、その周面には凹溝（図示せず）が形成され、該凹溝には前記ワイヤ３が嵌合可能となっている。
【００６１】
前記ワイヤ係止孔２４′の形状は、円孔と該円孔の上端、下端の両位置より垂直上方及び下方に延出する２つのスリットが形成され、前記ワイヤ係止孔２４′にスリーブ２６を挿入した後、ワイヤ３に上方及び下方のいずれの張力が作用した場合でも、ワイヤ３の下端が前記ワイヤ係止孔２４′に係着可能となっている。
【００６２】
図８（Ａ）は、前記ワイヤ３が下側のワイヤ係止孔２４′に係着された状態を示している。又、前記ワイヤ３が上側のワイヤ係止孔２４′に係着されることで、前記ワイヤ係止孔２４′，２４′の距離だけワイヤ３の長さが短く調整できる。
【００６３】
図８（Ｂ）は、前記ワイヤ３が前記ワイヤ掛け部材２３及び前記第２ワイヤ掛け部材３３に掛回された後、上側のワイヤ係止孔２４′に係着された状態を示している。前記ワイヤ３が前記第２ワイヤ掛け部材３３に掛回されることで、掛回された分だけ短く調整できる。
【００６４】
更に、前記ワイヤ３を前記第２ワイヤ掛け部材３３に掛回した状態で、下側のワイヤ係止孔２４′に係着させれば、前記ワイヤ係止孔２４′，２４′の距離だけワイヤ３の長さを更に短く調整できる。
【００６５】
前記ワイヤ係止孔２４′の上側に、第２ワイヤ掛け部材３３を設けることで、前記ワイヤ係止孔２４′の数の２倍の数の長さ調整が可能となる。
【００６６】
尚、前記ワイヤ３が前記ワイヤ掛け部材２３に掛回された後、前記第２ワイヤ掛け部材３３に掛回されずに上側のワイヤ係止孔２４′に係着された状態と、前記ワイヤ３が前記ワイヤ掛け部材２３及び前記第２ワイヤ掛け部材３３に掛回された後、上側のワイヤ係止孔２４′に係着された状態との長さの差は、上下の係止孔２４′，２４′同士の間隔と同じであることが好ましい。
【００６７】
図９は、第４の実施例を示している。
【００６８】
第４の実施例では、図７で示した第２の実施例中のワイヤ係着具２９を、ワイヤ係着具３５に変更し、又前記ワイヤ３の下端の処理を、ループさせスリーブ２６で締結したものである。
【００６９】
前記ワイヤ係着具３５にはボルトで螺子孔３２（図７参照）に螺着する為の、孔３６が穿設され、前記ワイヤ係着具３５の側面３５ａには、ワイヤ係着ピン３７が立設されている。該ワイヤ係着ピン３７は先端にフランジ３７ａが形成され、ワイヤ３の外れ止となっている。
【００７０】
前記ワイヤ３の先端にはループ３８が形成され、該ループ３８は円状に拡大することで前記フランジ３７ａが挿入可能であり、前記ループ３８に外力を付与しない状態では、扁平な形状をしており、ループ３８内径の最小径は前記フランジ３７ａの直径より小さくなっている。
【００７１】
図７を参照すれば、前記ワイヤ掛け部材２３を掛回した後、前記ループ３８を前記ワイヤ係着ピン３７に挿入して、ワイヤ３の下端を前記ワイヤ係着ピン３７に係着する。ワイヤ３の長さを調整する場合は、前記ワイヤ係着具３５の縦框１７に対する取付け位置を変更する。
【００７２】
尚、第４の実施例に於いて、前記ワイヤ掛け部材２３を省略し、前記ループ３８を直接前記ワイヤ係着ピン３７に係着する様にしてもよい。
【００７３】
上述した様に、本発明ではワイヤ３の長さ調整を、ワイヤ３の下端のパネル５に対する取付け位置を変更することで行う様にしたので、作業性が向上し、又低所作業の為安全性が向上する。
【符号の説明】
【００７４】
１              巻取ドラムシャフト
２              巻取ドラム
３              ワイヤ
４              シャッタカーテン
５              パネル
１７            縦框
１８            ローラ支持部材
２４            ワイヤ係止孔
２５            掛止部材
２６            スリーブ
２８            逃げ孔
２９            ワイヤ係着具
３３            第２ワイヤ掛け部材
３５            ワイヤ係着具
３７            ワイヤ係着ピン
３８            ループ
【図１】
0005566807.tif 000002
【図２】
0005566807.tif 000003
【図３】
0005566807.tif 000004
【図４】
0005566807.tif 000005
【図５】
0005566807.tif 000006
【図６】
0005566807.tif 000007
【図７】
0005566807.tif 000008
【図８】
0005566807.tif 000009
【図９】
0005566807.tif 000010
【図１０】
0005566807.tif 000011